【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
ＭＮタンパク質に結合するヒト抗体の精製された調製物。
【請求項２】
抗体がＭＮタンパク質のプロテオグリカンドメインに結合する、請求項１記載の精製された調製物。
【請求項３】
抗体がＭＮタンパク質のプロテオグリカンドメイン内のＧＥＥＤＬＰ反復領域に結合する、請求項１記載の精製された調製物。
【請求項４】
抗体が約０．６ｎＭないし約１８００ｎＭのＫdでヒトＭＮタンパク質に結合する、請求項３記載の調製物。
【請求項５】
抗体が約０．６ｎＭないし約９０ｎＭのＫdでヒトＭＮタンパク質に結合する、請求項３記載の調製物。
【請求項６】
ヒト抗体が配列番号６１〜８０よりなる群から選択されるアミノ酸配列を含んでなるＶＨ３−ＣＤＲ３領域を含んでなる、請求項１記載の精製された調製物。
【請求項７】
ヒト抗体が配列番号４８〜６０よりなる群から選択されるアミノ酸配列を含んでなるＶＨ３−ＣＤＲ１領域を含んでなる、請求項１記載の精製された調製物。
【請求項８】
ヒト抗体が配列番号６４のアミノ酸を含んでなるＶＨ３−ＣＤＲ３領域を含んでなる、請求項１記載の精製された調製物。
【請求項９】
ヒト抗体が配列番号８１のアミノ酸配列を含んでなるＶＬλ１−ＣＤＲ３領域を含んでなる、請求項１記載の精製された調製物。
【請求項１０】
配列番号８２〜８３よりなる群から選択されるアミノ酸配列を含んでなるＶＬλ２−ＣＤＲ１領域を含んでなる請求項１記載の精製された調製物。
【請求項１１】
ヒト抗体が配列番号８４〜８９よりなる群から選択されるアミノ酸配列を含んでなるＶＬλ２−ＣＤＲ３領域を含んでなる、請求項１記載の精製された調製物。
【請求項１２】
ヒト抗体が配列番号６１および８４、配列番号６２および８７、配列番号６３および８９、配列番号６４および８４、配列番号６５および８４、配列番号６６および８５、配列番号６７および８８よりなる群から選択されるＶＨ３−ＣＤＲ３およびＶＬ２−ＣＤＲ３のアミノ酸配列対を含んでなる、請求項１記載の精製された調製物。
【請求項１３】
ヒト抗体が配列番号６１および８６、配列番号６１および８５、配列番号６１および８７、配列番号６１および８８、配列番号６１および８９、配列番号６３および８６、配列番号６３および８５、配列番号６３および８７、配列番号６３および８８ならびに配列番号６３および８４よりなる群から選択されるＶＨ３−ＣＤＲ３およびＶＬ２−ＣＤＲ３のアミノ酸配列対を含んでなる、請求項１記載の精製された調製物。
【請求項１４】
ヒト抗体が配列番号７１および８７、配列番号６１および８７、配列番号７２および８７、配列番号７３および８７、配列番号７４および８７、配列番号７５および８７、配列番号７６および８７、配列番号７７および８７、配列番号７８および８７、配列番号７９および８７ならびに配列番号８０および８７よりなる群から選択されるＶＨ３−ＣＤＲ３およびＶＬ２−ＣＤＲ３のアミノ酸配列対を含んでなる、請求項１記載の精製された調製物。
【請求項１５】
ヒト抗体が配列番号６１および８１、配列番号６９および８１ならびに配列番号７０および８１よりなる群から選択されるＶＨ３−ＣＤＲ３およびＶＬ１−ＣＤＲ−３のアミノ酸配列対を含んでなる、請求項１記載の精製された調製物。
【請求項１６】
ヒト抗体が配列番号６１および８６および４８、配列番号６１および８６および４９、
配列番号６１および８６および５０、配列番号６１および８６および５１、配列番号６１および８６および５２、配列番号６１および８６および５３、配列番号６１および８６および５４、配列番号６１および８６および５５、配列番号６１および８６および５６ならびに配列番号６１および８６および５７よりなる群から選択されるＶＨ３−ＣＤＲ３、ＶＬ２−ＣＤＲ３およびＶＨ３−ＣＤＲ１のアミノ酸配列を含んでなる、請求項１記載の精製された調製物。
【請求項１７】
ＭＮタンパク質を結合するヒト抗体の精製された調製物をコードするヌクレオチド配列。
【請求項１８】
ヌクレオチド配列が配列番号１〜１３よりなる群から選択されるＶＨ３−ＣＤＲ１領域を含んでなる、請求項１７記載の精製された調製物。
【請求項１９】
ヌクレオチド配列が配列番号１４〜３３よりなる群から選択されるヌクレオチド配列を含んでなるＶＨ３−ＣＤＲ３領域を含んでなる、請求項１７記載の精製された調製物。
【請求項２０】
ヌクレオチド配列が配列番号３４〜３６よりなる群から選択されるヌクレオチド配列を含んでなるＶＬλ１−ＣＤＲ３領域を含んでなる、請求項１７記載の精製された調製物。
【請求項２１】
ヌクレオチド配列が配列番号３７〜３８よりなる群から選択されるヌクレオチド配列を含んでなるＶＬ２−ＣＤＲ１領域を含んでなる、請求項１７記載の精製された調製物。
【請求項２２】
ヌクレオチド配列が配列番号３９〜４４よりなる群から選択されるヌクレオチド配列を含んでなるＶＬλ２−ＣＤＲ３領域を含んでなる、請求項１７記載の精製された調製物。
【請求項２３】
ヌクレオチド配列が配列番号１および１４および４１、配列番号２および１４および４１、配列番号３および１４および４１ならびに配列番号４および１４および４１よりなる群から選択されるＶＨ３−ＣＤＲ１、ＶＨ３−ＣＤＲ３およびＶＬ２−ＣＤＲ３のヌクレオチド配列を含んでなる、請求項１７記載の精製された調製物。
【請求項２４】
ヌクレオチド配列が配列番号１４および３７および４１ならびに配列番号１４および３８および４１よりなる群から選択されるＶＨ３−ＣＤＲ３、ＶＬ２−ＣＤＲ１およびＶＬ２−ＣＤＲ３のヌクレオチド配列を含んでなる、請求項１７記載の精製された調製物。
【請求項２５】
ヌクレオチド配列が配列番号１４および４１および１、配列番号１４および４１および２、配列番号１４および４１および３、配列番号１４および４１および４、配列番号１４および４１および５、配列番号１４および４１および６、配列番号１４および４１および７、配列番号１４および４１および８、配列番号１４および４１および９ならびに配列番号１４および４１および１０よりなる群から選択されるＶＨ３−ＣＤＲ３、ＶＬ２−ＣＤＲ３およびＶＨ３−ＣＤＲ１のヌクレオチド配列を含んでなる、請求項１７記載の精製された調製物。
【請求項２６】
ヌクレオチド配列が配列番号１４および３９、配列番号１５および４２、配列番号１６および４４、配列番号１７および３９、配列番号１８および３９、配列番号１９および４０ならびに配列番号２０および４３よりなる群から選択されるＶＨ３−ＣＤＲ３、ＶＬ２−ＣＤＲ３のヌクレオチド配列を含んでなる、請求項１７記載の精製された調製物。
【請求項２７】
ヌクレオチド配列が配列番号１４および３４、配列番号２２および３４、配列番号２２および３５、配列番号２２および３６ならびに配列番号２３および３４よりなる群から選択されるＶＨ３−ＣＤＲ３、ＶＬ１−ＣＤＲ３のヌクレオチド配列を含んでなる、請求項１７記載の精製された調製物。
【請求項２８】
ヌクレオチド配列が配列番号１４および４１、配列番号１４および４０、配列番号１４および４２、配列番号１４および４３、配列番号１４および４４、配列番号１６および４１、配列番号１６および４０、配列番号１６および４２、配列番号１６および４３ならびに配列番号１６および３９よりなる群から選択されるＶＨ３−ＣＤＲ３、ＶＬ２−ＣＤＲ３のヌクレオチド配列を含んでなる、請求項１７記載の精製された調製物。
【請求項２９】
ヌクレオチド配列が配列番号２４および４２、配列番号１４および４２、配列番号２５および４２、配列番号２６および４２、配列番号２７および４２、配列番号２８および４２、配列番号２９および４２、配列番号３０および４２、配列番号３１および４２、配列番号３２および４２ならびに配列番号３３および４２よりなる群から選択されるＶＨ３−ＣＤＲ３、ＶＬ２−ＣＤＲ３のヌクレオチド配列を含んでなる、請求項１７記載の精製された調製物。
【請求項３０】
ＭＮ結合抗体をコードする、請求項１７記載のポリヌクレオチドを含んでなる発現ベクター。
【請求項３１】
ＭＮ結合抗体をコードする、請求項１８記載のポリヌクレオチドを含んでなる発現ベクター。
【請求項３２】
ＭＮ結合抗体をコードする、請求項１９記載のポリヌクレオチドを含んでなる発現ベクター。
【請求項３３】
ＭＮ結合抗体をコードする、請求項２０記載のポリヌクレオチドを含んでなる発現ベクター。
【請求項３４】
ＭＮ結合抗体をコードする、請求項２１記載のポリヌクレオチドを含んでなる発現ベクター。
【請求項３５】
ＭＮ結合抗体をコードする、請求項２２記載のポリヌクレオチドを含んでなる発現ベクター。
【請求項３６】
ＭＮ結合抗体をコードする、請求項２３記載のポリヌクレオチドを含んでなる発現ベクター。
【請求項３７】
ＭＮ結合抗体をコードする、請求項２４記載のポリヌクレオチドを含んでなる発現ベクター。
【請求項３８】
MＮ結合抗体をコードする、請求項２５記載のポリヌクレオチドを含んでなる発現ベク
ター。
【請求項３９】
ＭＮ結合抗体をコードする、請求項２６記載のポリヌクレオチドを含んでなる発現ベクター。
【請求項４０】
ＭＮ結合抗体をコードする、請求項２７記載のポリヌクレオチドを含んでなる発現ベクター。
【請求項４１】
ＭＮ結合抗体をコードする、請求項２８記載のポリヌクレオチドを含んでなる発現ベクター。
【請求項４２】
ＭＮ結合抗体をコードする、請求項２９記載のポリヌクレオチドを含んでなる発現ベクター。
【請求項４３】
ＭＮ結合抗体を発現する、請求項３０記載の発現ベクターを含んでなる宿主細胞。
【請求項４４】
ＭＮ結合抗体を発現する、請求項３１記載の発現ベクターを含んでなる宿主細胞。
【請求項４５】
ＭＮ結合抗体を発現する、請求項３２記載の発現ベクターを含んでなる宿主細胞。
【請求項４６】
ＭＮ結合抗体を発現する、請求項３３記載の発現ベクターを含んでなる宿主細胞。
【請求項４７】
ＭＮ結合抗体を発現する、請求項３４記載の発現ベクターを含んでなる宿主細胞。
【請求項４８】
ＭＮ結合抗体を発現する、請求項３５記載の発現ベクターを含んでなる宿主細胞。
【請求項４９】
ＭＮ結合抗体を発現する、請求項３６記載の発現ベクターを含んでなる宿主細胞。
【請求項５０】
ＭＮ結合抗体を発現する、請求項３７記載の発現ベクターを含んでなる宿主細胞。
【請求項５１】
ＭＮ結合抗体を発現する、請求項３８記載の発現ベクターを含んでなる宿主細胞。
【請求項５２】
ＭＮ結合抗体を発現する、請求項３９記載の発現ベクターを含んでなる宿主細胞。
【請求項５３】
ＭＮ結合抗体を発現する、請求項４０記載の発現ベクターを含んでなる宿主細胞。
【請求項５４】
ＭＮ結合抗体を発現する、請求項４１記載の発現ベクターを含んでなる宿主細胞。
【請求項５５】
ＭＮ結合抗体を発現する、請求項４２記載の発現ベクターを含んでなる宿主細胞。
【請求項５６】
抗体が発現される条件下で請求項３１記載の宿主細胞を培養する段階；および宿主細胞培養物からヒト抗体を精製する段階を含んでなるヒト抗体の作成方法。
【請求項５７】
抗体が発現される条件下で請求項３２記載の宿主細胞を培養する段階；および宿主細胞培養物からヒト抗体を精製する段階を含んでなるヒト抗体の作成方法。
【請求項５８】
抗体が発現される条件下で請求項３３記載の宿主細胞を培養する段階；および宿主細胞培養物からヒト抗体を精製する段階を含んでなるヒト抗体の作成方法。
【請求項５９】
抗体が発現される条件下で請求項３４記載の宿主細胞を培養する段階；および宿主細胞培養物からヒト抗体を精製する段階を含んでなるヒト抗体の作成方法。
【請求項６０】
抗体が発現される条件下で請求項３５記載の宿主細胞を培養する段階；および宿主細胞培養物からヒト抗体を精製する段階を含んでなるヒト抗体の作成方法。
【請求項６１】
抗体が発現される条件下で請求項３６記載の宿主細胞を培養する段階；および宿主細胞培養物からヒト抗体を精製する段階を含んでなるヒト抗体の作成方法。
【請求項６２】
抗体が発現される条件下で請求項３７記載の宿主細胞を培養する段階；および宿主細胞培養物からヒト抗体を精製する段階を含んでなるヒト抗体の作成方法。
【請求項６３】
抗体が発現される条件下で請求項３８記載の宿主細胞を培養する段階；および宿主細胞培養物からヒト抗体を精製する段階を含んでなるヒト抗体の作成方法。
【請求項６４】
抗体が発現される条件下で請求項３９記載の宿主細胞を培養する段階；および宿主細胞培養物からヒト抗体を精製する段階を含んでなるヒト抗体の作成方法。
【請求項６５】
抗体が発現される条件下で請求項４０記載の宿主細胞を培養する段階；および宿主細胞培養物からヒト抗体を精製する段階を含んでなるヒト抗体の作成方法。
【請求項６６】
抗体が発現される条件下で請求項４１記載の宿主細胞を培養する段階；および宿主細胞培養物からヒト抗体を精製する段階を含んでなるヒト抗体の作成方法。
【請求項６７】
抗体が発現される条件下で請求項４２記載の宿主細胞を培養する段階；および宿主細胞培養物からヒト抗体を精製する段階を含んでなるヒト抗体の作成方法。
【請求項６８】
抗体が発現される条件下で請求項４３記載の宿主細胞を培養する段階；および宿主細胞培養物からヒト抗体を精製する段階を含んでなるヒト抗体の作成方法。
【請求項６９】
ヒトＭＮ抗体化合物（ここで前記化合物はＭＮ抗体および細胞傷害性作用物質を包含し、ここで前記細胞傷害性作用物質は前記ＭＮ発現細胞中で細胞死を誘導することが可能である）のＭＮタンパク質がある種の細胞中で発現されるヒトの障害の治療用組成物を調製するための使用。
【請求項７０】
障害が腎細胞癌、食道癌、子宮頚癌、悪性結腸癌および非小細胞肺癌よりなる群から選択される、請求項６９記載の使用。
【請求項７１】
抗体が配列番号６１〜８０よりなる群から選択されるＶＨ３−ＣＤＲ３領域を含んでなる、請求項６９記載の使用。
【請求項７２】
抗体が配列番号４８〜６０よりなる群から選択されるＶＨ３−ＣＤＲ１領域を含んでなる、請求項６９記載の使用。
【請求項７３】
抗体が配列番号８１よりなるＶＬ１−ＣＤＲ３領域を含んでなる、請求項６９記載の使用。
【請求項７４】
抗体が配列番号８２〜８３よりなる群から選択されるＶＬ２−ＣＤＲ１領域を含んでなる、請求項６９記載の使用。
【請求項７５】
抗体が配列番号８４〜８９よりなる群から選択されるＶＬ２−ＣＤＲ３領域を含んでなる、請求項６９記載の使用。
【請求項７６】
ａ）試験調製物をＭＮ抗原に特異的に結合する抗体と接触させる段階、およびｂ）抗体−ＭＮ抗原複合体の存在について試験調製物をアッセイする段階を含んでなる、試験調製物中のMN抗原の検出方法。
【請求項７７】
抗体が検出可能な標識を含んでなる請求項７６記載の方法。
【請求項７８】
抗体が固体支持体に結合される請求項７６記載の方法。
【請求項７９】
ａ）障害を有することが疑われる患者からのサンプルを、ＭＮに結合するヒト抗体と接触させる段階；およびｂ）抗体−ＭＮ複合体の存在についてアッセイして、それにより正常サンプル中の該複合体の量より多い複合体の量の検出が障害を有する見込みのある患者を同定する段階を含んでなる、ＭＮタンパク質レベルが上昇する障害の診断を補助する方法。
【請求項８０】
抗体が検出可能な標識を含んでなる請求項７９記載の方法。
【請求項８１】
抗体が固体支持体に結合される請求項７９記載の方法。
【請求項８２】
抗体が配列番号６１〜８０よりなる群から選択されるＶＨ３−ＣＤＲ３領域を含んでなる、請求項７９記載の方法。
【請求項８３】
抗体が配列番号４８〜６０よりなる群から選択されるＶＨ３−ＣＤＲ１領域を含んでなる、請求項７９記載の方法。
【請求項８４】
抗体が配列番号８１よりなるＶＬ１−ＣＤＲ３領域を含んでなる、請求項７９記載の方法。
【請求項８５】
抗体が配列番号８２〜８３よりなる群から選択されるＶＬ２−ＣＤＲ１領域を含んでなる、請求項７９記載の方法。
【請求項８６】
抗体が配列番号８４〜８９よりなる群から選択されるＶＬ２−ＣＤＲ３領域を含んでなる、請求項７９記載の方法。
【請求項８７】
ＭＮタンパク質に結合するヒト抗体および製薬学的に許容できる担体を含んでなる製薬学的組成物。